(57)【要約】【課題】  入浴の際に遠赤外線の作用により加温された状態で患部に指圧を施すことができる新規な入浴用遠赤外線放射具を提供する。【解決手段】  内部に収容空間Ｓが形成されるとともに多数の透孔１８が形成されたケース本体１１と、多数の透孔２６が形成され上記ケース本体１１の収容空間Ｓを閉塞する蓋体２１とでなる収容ケースと、この収容ケース内に収容され遠赤外線を放射する遠赤外線放射体３１と、を備える入浴用遠赤外線放射具１であって、上記収容ケースの少なくとも一表面２２には多数の突起部２５が形成されるとともに、上記透孔２６は、これら多数の突起部２５に形成されてなるものである。【選択図】  図１
0003132631.tif 000002
【実用新案登録請求の範囲】
【請求項１】
内部に収容空間が形成されるとともに多数の透孔が形成されたケース本体と、多数の透孔が形成され上記ケース本体の収容空間を閉塞する蓋体とでなる収容ケースと、この収容ケース内に収容され遠赤外線を放射する遠赤外線放射体と、を備える入浴用遠赤外線放射具であって、
上記収容ケースの少なくとも一表面には多数の突起部が形成されるとともに、上記透孔は、これら多数の突起部に形成されてなることを特徴とする入浴用遠赤外線放射具。
【請求項２】
前記収容ケースに形成される多数の突起部は、該収容ケースの中央部分の高さが他の部分よりも高く形成されてなることを特徴とする請求項１記載の入浴用遠赤外線放射具。
【請求項３】
前記収容ケースには、紐状部材を掛止する紐掛止部が形成されるとともに、該紐掛止部には使用者又は浴槽内に入浴用遠赤外線放射具を装着するための紐状部材が掛止されてなることを特徴とする請求項１又は２記載の何れかの入浴用遠赤外線放射具。
【考案の詳細な説明】
【技術分野】
【０００１】
本考案は、収容ケース内に遠赤外線を放射する遠赤外線放射体が収容された入浴用遠赤外線放射具に関するものである。
【背景技術】
【０００２】
遠赤外線を使用者に放射すると体表部が加温されて血行が促進され、疲労物質と言われる乳酸が分解される作用により凝りの軽減や疲労の回復に効果があることが知られ、これを利用したものとして、例えば、透孔が形成された収容ケース内に遠赤外線放射体を収容して浴槽内に入れ、前記収容ケースを使用者が手で支持するか又は浴槽に掛止して、前記遠赤外線放射体から透孔を経て遠赤外線を放射させる浴槽用遠赤外線放射具がある。また、凝りの軽減や疲労の回復を図る手段として、上記遠赤外線の浴槽内での放射の他に指圧を施すことにおいても効果がある。そこで、上記遠赤外線の浴槽内での放射だけでは効果が不十分な場合には、入浴後に改めて指圧を施していた。
【考案の開示】
【考案が解決しようとする課題】
【０００３】
しかしながら、上記浴槽用遠赤外線放射具を用いて入浴した後に改めて指圧を施す場合には、入浴の際に遠赤外線の作用により加温された患部が冷めてしまうので、指圧効果が低下するという問題があった。
【０００４】
そこで、本考案は、上述した従来の技術による浴槽用遠赤外線放射具が有する課題を解決するために提案されたものであって、入浴の際に遠赤外線の作用により加温された状態で患部に指圧を施すことができる新規な入浴用遠赤外線放射具を提供することを目的とするものである。
【課題を解決するための手段】
【０００５】
上述した目的を達成するため、第１の考案（請求項１記載の考案）に係る入浴用遠赤外線放射具は、内部に収容空間が形成されるとともに多数の透孔が形成されたケース本体と、多数の透孔が形成され上記ケース本体の収容空間を閉塞する蓋体とでなる収容ケースと、この収容ケース内に収容され遠赤外線を放射する遠赤外線放射体と、を備える入浴用遠赤外線放射具であって、上記収容ケースの少なくとも一表面には多数の突起部が形成されるとともに、該突起部に上記透孔が形成されてなることを特徴とするものである。
【０００６】
この第１の考案では、収容ケースの少なくとも一表面には多数の突起部が形成されるとともに、該突起部に透孔が形成されてなることから、遠赤外線放射体から放射される遠赤外線が突起部等の透孔より使用者に照射する加温作用に加え、少なくとも一表面に形成された多数の突起部を使用者の患部（ツボ）に押圧することにより指圧作用が相乗され、凝りの軽減、疲労の回復を高めて入浴することができる。
【０００７】
また、第２の考案（請求項２記載の考案）は、上記第１の考案において、前記収容ケースに形成される多数の突起部は、該収容ケースの中央部分の高さが他の部分よりも高く形成されてなることを特徴とするものである。
【０００８】
この第２の考案では、収容ケースに形成される多数の突起部は、該収容ケースの中央部分の高さが他の部分よりも高く形成されてなることから、使用者の患部（ツボ）への押圧力を強くすることができ、凝りの軽減、疲労の回復をより高めて入浴することができる。
【０００９】
また、第３の考案（請求項３記載の考案）は、上記第１又は２の考案において、前記収容ケースには、紐状部材を掛止する紐掛止部が形成されるとともに、該紐掛止部には使用者又は浴槽内に入浴用遠赤外線放射具を装着するための紐状部材が掛止されてなることを特徴とするものである。
【００１０】
この第３の考案では、紐状部材を掛止する紐掛止部が形成されるとともに、該紐掛止部には使用者又は浴槽内に入浴用遠赤外線放射具を装着するための紐状部材が掛止されてなることから、入浴用遠赤外線放射具を使用者又は浴槽内に装着して入浴することできる。その結果、使用者は自由な姿勢で入浴できるとともに、所謂、岩盤浴と同様の入浴効果を得ることができる。
【考案の効果】
【００１１】
上記第１の考案（請求項１記載の考案）に係る入浴用遠赤外線放射具では、遠赤外線放射体から放射される遠赤外線が突起部等の透孔より使用者に照射する加温作用に加え、少なくとも一表面に形成された多数の突起部を使用者の患部（ツボ）に押圧することにより指圧作用が相乗され、凝りの軽減、疲労の回復を高めて入浴することができることから、健康の促進を図ることができる。
【００１２】
また、第２の考案（請求項２記載の考案）では、収容ケースに形成される多数の突起部は、該収容ケースの中央部分の高さが他の部分よりも高く形成されてなることから、使用者の患部（ツボ）への押圧力を強くすることができ、凝りの軽減、疲労の回復をより高めて入浴することができ、さらに健康の促進を図ることができる。
【００１３】
また、第３の考案（請求項３記載の考案）では、紐状部材を掛止する紐掛止部が形成されるとともに、該紐掛止部には使用者又は浴槽内に入浴用遠赤外線放射具を装着するための紐状部材が掛止されてなることから、入浴用遠赤外線放射具を使用者又は浴槽内に装着して入浴することできる。その結果、使用者は自由な姿勢でリラックスして入浴できるとともに、所謂、岩盤浴と同様の入浴効果を得ることができる。
【考案を実施するための最良の形態】
【００１４】
以下、本考案の入浴用遠赤外線放射具を実施するための最良の形態を、図面を参照しながら詳細に説明する。
【００１５】
この考案の実施の形態に係る入浴用遠赤外線放射具１は、図１又は図２に示すように、ケース本体１１と、蓋体２１とを備える収容ケース１０と、遠赤外線放射体３１と、紐体４１，４１とにより構成されている。上記のケース本体１１は、内部に収容空間Ｓが形成されて上方が開口された丸皿状に成形されており、中心部から外周側にかけて円形の平板状の下面部１２が形成され、また、この下面部１２の外周側から鉛直上方に直立する円筒部１３が形成され、更にこの円筒部１３の外周端部にはフランジ部１４が形成されている。このフランジ部１４には、後述するボルト５１が挿通される６箇所の（ナット５２に隠れて図示しない）ボルト穴と、紐体４１，４１を掛止する２箇所の紐掛止部１６，１６が対向して形成されている。また、上述の通りこのケース本体１１の下面は円形の平板状の下面部１２とされているが、この下面部１２には、同心円状に位置する多数の円弧状の透孔１８が形成されている。
【００１６】
また、上記の蓋体２１は、内部に収容空間Ｓが形成されて下方が開口された丸皿状に（伏せられた丸皿のような状態で）成形され、上記ケース本体１１上に後述するボルト５１及びナット５２により固定されている。この蓋体２１は、中心部から外周側にかけて円形の平板状の上面部２２が形成され、また、この上面部２２の外周側から鉛直下方に直立する円筒部２３が形成され、更にこの円筒部２３の外周端部にはフランジ部２４が形成されている。この上面部２２には、多数の突起部２５が直立して形成されており、これら突起部２５のそれぞれには、該突起部２５の頂部から上面部２２の下面に貫通する透孔２６が形成されている。なお、これら多数の突起部２５は、上記上面部２２の上面からの高さが高い中央部分の突起部２５ａと、これらの突起部２５ａよりも高さが低い外周側の突起部２５ｂとにより構成され、それぞれの高さは、外周側から中央部分に向かって段階的に高くなっている。なお、突起部２５の高さは、外周側から中央部分に向かって漸次高くしても良い。また、この蓋体２１のフランジ部２４には、上記ケース本体１１のフランジ部１４に形成された６箇所のボルト穴及び２箇所の紐掛止部１６，１６に対応する箇所に、（ボルト５１に隠れて図示しない）ボルト穴及び紐掛止部２８，２８が形成されている。
【００１７】
上記のケース本体１１及び蓋体２１とは、図２に示すようにフランジ部１４とフランジ部２４とが上下に重ね合わせられて、上記のケース本体１１及び蓋体２１のそれぞれに形成され、図示を省略したボルト穴にそれぞれ挿通する６本のボルト５１と６個のナット５２とにより固定される。また、上記紐掛止部１６，１６及び紐掛止部２８，２８には、紐体４１，４１がそれぞれ掛止されるとともに結び付けられている。なお、これら紐体４１，４１は本発明を構成する紐状部材であって、上記入浴用遠赤外線放射具１を用いる使用者Ｈが後述するように使用者自身に装着し、或いは、浴槽内に装着するのに足りる長さを有している。また、上述の通り上記ケース本体１１及び蓋体２１により構成される収容ケース１０は、図１（B）に示すようにケース本体１１と蓋体２１との互いの収容空間Ｓが一空間を形成するように向かい合うように固定されており、この収容空間Ｓには、遠赤外線放射体３１が収容されている。この考案の実施の形態では、この遠赤外線放射体３１には、浴槽内のお湯等による加熱によって遠赤外線を放射する効果を有するトルマリン、ゲルマニウム、ラジウム、ラドン等を含有する自然石を、大きさ５ミリメートル程度の粒状に粉砕したものを用いている。なお、この遠赤外線放射体３１に用いる自然石は、所謂岩盤浴にも用いられるものである。そして、この遠赤外線放射体３１は、該遠赤外線放射体３１がこぼれない程度の網目の大きさのネット３２（図１（B）では、特に破線で示す。）に入れられた上で、上記収容空間Ｓ内に収容されている。
【００１８】
次に、使用者Ｈが入浴時にこの入浴用遠赤外線放射具１を使用する方法について説明する。先ず、この入浴用遠赤外線放射具１を使用者Ｈが自身の身体に装着して使用する場合には、紐体４１，４１を用いて自身の患部（ツボ）に装着する。この装着の方法は、図３（Ａ）に示すように、自身の患部である腹部に上記蓋体２１の突起部２５を当接するとともに、紐体４１，４１を腰部に巻きつけ、図示しない背面側においてこの紐体４１，４１を結び付けて装着する。また、他の装着方法として、図３（Ｂ）に示すように、２本の紐体４１，４１の端部同士を結びつけた上で使用者Ｈの首部に掛止するとともに、自身の患部である腹部に上記蓋体２１の突起部２５を当接させてもよい。そして、このようにこの入浴用遠赤外線放射具１を身体に装着した状態で入浴することにより、該入浴用遠赤外線放射具１内の遠赤外線放射体３１は浴槽内のお湯により加熱され、この加熱により該遠赤外線放射体３１は遠赤外線を放射し、放射された該遠赤外線は上記突起部２５の透孔２６を経て使用者Ｈの体に照射され、この遠赤外線による使用者Ｈの身体への加温作用が働き、凝りの軽減や疲労の回復の効果が得られる。特に、この入浴用遠赤外線放射具１では、上記紐体４１，４１により該入浴用遠赤外線放射具１を使用者Ｈの身体の極めて近く又は当接位置に維持して装着することができることから、該入浴用遠赤外線放射具１を装着した箇所については所謂岩盤浴と同様の入浴効果を得ることができる。
【００１９】
さらに、この遠赤外線による加温作用と同時に、上記入浴用遠赤外線放射具１の突起部２５を患部に押し付けることにより、中央部分の高さの高い突起部２５ａにより患部（ツボ）が押圧されるとともに、中央部分の周囲の低い突起部２５ｂにより患部の周囲が押圧されるので、前記遠赤外線による加温作用に加え、指圧作用が相乗され、凝りの軽減や疲労の回復をより高めることができる。そして、使用者Ｈが入浴後に改めて指圧の施術を行う必要が無くなる。そして、この考案に係る入浴用遠赤外線放射具１では、上述の通り、上記蓋体２１に形成された多数の突起部２５ａは該蓋体２１の中央部分が他の部分の突起部２５ｂよりもより高く形成されていることから、特に指圧の施術が必要な箇所にこの入浴用遠赤外線放射具１の蓋体２１の中央部分を押圧することで指圧力が高まり、特に効果的な指圧の効果を得ることができる。なお、図３に示すこの入浴用遠赤外線放射具１の使用の例はあくまで一例であって、使用者Ｈは自己の身体について遠赤外線の照射による加温作用や突起部２５による指圧効果が必要な任意の患部（ツボ）にこの入浴用遠赤外線放射具１を装着することにより、自己の身体について上記の施術効果をより効果的に得ることができる。例えば、図示は省略するが、使用者Ｈが背中に位置するツボに指圧の施術が必要な場合には、上記入浴用遠赤外線放射具１を背中側に装着し、浴槽の壁面と使用者Ｈの背中の間に該入浴用遠赤外線放射具１を位置させることにより、背中に位置する患部（ツボ）に指圧の施術をしつつ遠赤外線の作用を受けることができ、さらに使用者Ｈが該浴槽の壁面側にもたれて入浴用遠赤外線放射具１を挟持することで、該入浴用遠赤外線放射具１の突起部２５が使用者Ｈの背中に当接する押圧力をより大きなものとすることもできる。また、使用者Ｈが上記入浴用遠赤外線放射具１を自己の身体への装着の際には、必ずしも紐体４１，４１を用いる必要は無い。例えば、入浴用遠赤外線放射具１を浴槽の底面又は壁面上に位置させ、使用者Ｈが自己の足の裏を該入浴用遠赤外線放射具１の上面上に位置させ、突起部２５により使用者Ｈの足の裏を刺激してもよい。特に足の裏には、「第二の心臓」と呼ばれるほどに有用なツボが多数存在するといわれていることから、このように入浴用遠赤外線放射具１を足の裏への刺激に使用することで、足の裏に位置するツボへの指圧の施術をしつつ遠赤外線の作用を受けることができ、この指圧の施術の効果が大きいものとなる。
【００２０】
なお、この入浴用遠赤外線放射具１は上述のような使用方法に限定されることは無い。すなわち、特に使用者Ｈがこの入浴用遠赤外線放射具１内の遠赤外線放射体３１から放射される遠赤外線による効果のみが必要であって、上記突起部２５の当接による指圧の効果が不要である場合には、ケース本体１１の下面部１２にも透孔１８が形成されているので、使用者Ｈは、該入浴用遠赤外線放射具１の下面部１２を使用者Ｈの身体に当接して装着しても良い。このように入浴用遠赤外線放射具１の下面側を使用者Ｈの身体に当接した場合には、使用者Ｈには、突起部２５の当接による指圧の効果は無いものの、透孔１８を介して放射される遠赤外線による効果が及ぶ。また、図４に示すように、該入浴用遠赤外線放射具１を紐体４１に結びつけた掛止具Ｋにより掛止して浴槽Ｂ内に設置してもよい。この場合には、上記のように使用者Ｈの身体自体にこの入浴用遠赤外線放射具１を装着した場合に比べ、使用者Ｈは浴槽Ｂ内でより自由な姿勢を取ることが出来る。また、上記実施の形態においては、突起部２５の高さについて、中央部分に位置する突起部２５ａの高さを中央部分の周囲に位置する突起部２５ｂの高さよりも高いものとしたが、この突起部２５の高さは上面部２２上の全域に亘って均一の高さのものとしても良い。
【００２１】
また、上記の実施の形態に係る入浴用遠赤外線放射具１では、収容空間Ｓに収容される遠赤外線放射体３１として、上述の通り、岩盤浴にも良く用いられている自然石であって、浴槽内のお湯等による加熱によって遠赤外線を放射する効果を有するトルマリン、ゲルマニウム、ラジウム、ラドン等を含有するものを、大きさ５ミリメートル程度の粒状に粉砕したものを用いている。しかし、この遠赤外線放射体３１はこのような自然石に限定されるものでは無く、他の成分から構成される自然石であっても良く、或いは、上記のトルマリン、ゲルマニウム、ラジウム、ラドン等の成分を焼結等により固めた人工石を用いても良い。特に、この人工石の原料としては、上記のトルマリン、ゲルマニウム、ラジウム、ラドン等が多く含まれる温泉にて、成分が析出又は沈殿した湯の花を採取し、これを用いてもよく、このような人工石を用いた場合には、入浴時に湯の花を採取元の温泉と同様の気分が得られる。また、上記の遠赤外線放射体３１では、自然石を大きさ５ミリメートル程度の粒状に粉砕したものを用いているが、もちろんこのような形態に限定されるものでは無く、上記収容空間Ｓに収容可能な程度の直径２センチメートル程度のボール状或いは直方体状にした自然石或いは人工石を用いても良い。また、遠赤外線放射体３１には、上記のような遠赤外線を放射する成分を含む物体以外のもの、例えば、マイナスイオンを発することにより人体に好影響を与えるとされる物体や、ヒノキ等の木片を混入しても良い。この場合には、この入浴用遠赤外線放射具１によって、マイナスイオンによるとされる効果や、ヒノキ風呂による効果も得ることができる。
【図面の簡単な説明】
【００２２】
【図１】本発明の実施の形態に係る入浴用遠赤外線放射具を示す上面図，断面図及び下面図である。
【図２】本発明の実施の形態に係る入浴用遠赤外線放射具を示す斜視図である。
【図３】本発明の実施の形態に係る入浴用遠赤外線放射具を使用する際の状態を示す図である。
【図４】本発明の実施の形態に係る入浴用遠赤外線放射具を別の方法で使用する際の状態を示す図である。
【符号の説明】
【００２３】
１    入浴用遠赤外線放射具
１０  収容ケース
１１    ケース本体
１６    紐掛止部
２１    蓋体
２２    上面部
２５    突起部
２６    透孔
２８    紐掛止部
３１    遠赤外線放射体
４１    紐体
Ｈ    使用者
Ｓ    収容空間
【図１】
0003132631.tif 000003
【図２】
0003132631.tif 000004
【図３】
0003132631.tif 000005
【図４】
0003132631.tif 000006